(57)【要約】【課題】コンテンツの表示上の大きさに関わらず、ユーザに対する広告効果を精度よく測定することが可能なコンテンツ表示装置を提供すること。【解決手段】ネットワークを介して配信されたコンテンツを受信し、受信したコンテンツを表示するコンテンツ表示装置１００であって、コンテンツおよびコンテンツとともに表示すべき広告情報を受信する送受信制御部１２と、送受信制御部１２により受信されたコンテンツとともに、送受信制御部１２により受信された広告情報を表示可能な表示領域を有する表示部１０と、表示領域内に広告情報が表示されたことを検出し、表示領域内に広告情報が表示されたことを示す視聴情報を生成する視聴情報検出部１８とを備え、送受信制御部１２は、視聴情報検出部１８により生成された視聴情報をネットワークに送信する。【選択図】図１
2011209776.tif 000002
【特許請求の範囲】
【請求項１】
ネットワークを介して配信されたコンテンツを受信し、受信したコンテンツを表示するコンテンツ表示装置であって、
コンテンツおよび前記コンテンツとともに表示すべき広告情報を受信する受信部と、
前記受信部により受信されたコンテンツとともに、前記受信部により受信された広告情報を表示可能な表示領域を有する表示部と、
前記表示領域内に前記広告情報が表示されたことを検出し、前記表示領域内に前記広告情報が表示されたことを示す視聴情報を生成する検出部と、
前記検出部により生成された視聴情報を前記ネットワークに送信する送信部と
を備えるコンテンツ表示装置。
【請求項２】
前記コンテンツの表示上の大きさは、前記表示領域よりも大きく、
前記広告情報は、前記コンテンツ内に表示される情報であり、
前記検出部は、前記表示領域内に前記広告情報が表示されていない状態から、前記表示領域内に前記広告情報が表示されている状態に変化することを検出することで、前記表示領域内に前記広告情報が表示されたことを検出する
請求項１記載のコンテンツ表示装置。
【請求項３】
さらに、
ユーザからの指示を受け付ける受付部と、
前記受付部により受け付けられた指示に応じて前記表示部を制御することで、前記表示領域内に前記広告情報が表示されていない状態から、前記表示領域内に前記広告情報が表示されている状態に変化させる画面制御部と
を備える請求項２記載のコンテンツ表示装置。
【請求項４】
さらに、
前記受信部により受信された複数の広告情報を記憶する記憶部と、
前記記憶部に記憶されている複数の広告情報の中から１つの広告情報を選択する選択部と、
前記受信部により受信されたコンテンツと、前記選択部により選択された広告情報とを合成することで表示画像を生成する表示画像生成部とを備え、
前記表示部は、前記表示画像生成部により生成された表示画像を表示し、
前記検出部は、前記表示画像生成部により前記コンテンツと前記広告情報とが合成された場合、前記視聴情報を生成する
請求項１または２に記載のコンテンツ表示装置。
【請求項５】
さらに、
ユーザからの指示を受け付ける受付部と、
前記受付部により受け付けられた指示に応じて、前記表示領域に表示される情報を制御する画面制御部とを備え、
前記表示画像生成部は、前記画面制御部の制御により、前記表示領域内に、前記コンテンツにおける広告情報の配置される領域である広告枠領域が表示されていなかった状態から、前記表示領域内に前記広告枠領域が表示されている状態に変化する際に、前記コンテンツと前記広告情報とを合成する
請求項４記載のコンテンツ表示装置。
【請求項６】
前記受信部はさらに、前記コンテンツにおける前記広告枠領域の位置を特定する位置情報を受信し、
前記表示画像生成部は、前記位置情報に示される位置に前記広告情報が配置されるように、前記コンテンツと前記広告情報とを合成する
請求項４または５に記載のコンテンツ表示装置。
【請求項７】
前記受信部はさらに、受信した前記コンテンツから、前記コンテンツにおける前記広告枠領域の位置を特定する位置情報を生成し、
前記表示画像生成部は、前記位置情報に示される位置に前記広告情報が配置されるように、前記コンテンツと前記広告情報とを合成する
請求項４または５に記載のコンテンツ表示装置。
【請求項８】
前記記憶部はさらに、前記表示領域内に表示された広告情報の履歴を示す履歴情報を記憶し、
前記選択部は、前記履歴情報を参照することで、前記複数の広告情報の中から前記表示領域内に表示されていない広告情報を選択する
請求項４〜７のいずれか１項に記載のコンテンツ表示装置。
【請求項９】
さらに、前記選択部により選択された、前記表示領域内に表示されていない広告情報が、前記表示領域内に表示される場合、前記広告情報が前記表示領域内に表示されることを、光、音、振動または画像によりユーザに報知する報知部を備える
請求項８記載のコンテンツ表示装置。
【請求項１０】
前記記憶部はさらに、前記コンテンツと合成され前記表示領域に表示された広告情報と、前記コンテンツとを紐付ける情報である紐付け情報を記憶し、
前記選択部は、前記コンテンツが前記表示部に表示された後に、前記コンテンツが、再度、前記表示部に表示される場合、前記複数の広告情報の中から、前記紐付け情報に示される広告情報を選択する
請求項４〜７のいずれか１項に記載のコンテンツ表示装置。
【請求項１１】
前記コンテンツと合成され前記表示領域に表示された広告情報と、前記コンテンツとの紐付けの有効期間は予め定められており、
前記選択部はさらに、前記有効期間が経過した後に、前記コンテンツが前記表示部に表示される場合、前記複数の広告情報の中から、前記紐付け情報に示される広告情報以外の広告情報を選択する
請求項１０記載のコンテンツ表示装置。
【請求項１２】
さらに、前記選択部により選択された、前記紐付け情報に示される広告情報が前記表示領域内に表示される場合、前記広告情報が前記表示領域内に表示されることを、光、音、振動または画像によりユーザに報知する報知部を備える
請求項１０記載のコンテンツ表示装置。
【請求項１３】
前記記憶部はさらに、前記コンテンツと、前記選択部により選択された広告情報とが合成されることで生成された表示画像を記憶し、
前記表示部は、前記コンテンツを表示した後に、前記コンテンツを再度表示する場合、前記記憶部に記憶された表示画像を表示する
請求項４〜７のいずれか１項に記載のコンテンツ表示装置。
【請求項１４】
前記コンテンツと、前記選択部により選択された広告情報とが合成されることで生成された表示画像の保持期間は予め定められており、
前記記憶部は、前記表示画像についての保持期間が経過すると、前記コンテンツと前記広告情報とを分けて記憶する
請求項１３記載のコンテンツ表示装置。
【請求項１５】
前記検出部は、前記表示領域内に前記広告情報が表示されたことを示す前記視聴情報であって、前記広告情報が表示された日時または期間に関する情報を含む前記視聴情報を生成する
請求項１〜１４のいずれか１項に記載のコンテンツ表示装置。
【請求項１６】
請求項１〜１５のいずれか１項に記載のコンテンツ表示装置と、
コンテンツを配信するコンテンツ配信装置とを備え、
前記コンテンツ配信装置は、
前記コンテンツ表示装置に、コンテンツを送信するコンテンツ送信部と、
前記コンテンツ表示装置から送信される視聴情報を蓄積する視聴情報記憶部とを有する
コンテンツ表示システム。
【発明の詳細な説明】
【技術分野】
【０００１】
本発明は、インターネット等を介して配信されたコンテンツを表示できるコンテンツ表示装置、およびコンテンツ表示装置を有するコンテンツ表示システムに関する。
【背景技術】
【０００２】
従来、広告の主な媒体として用いられていたのがマスメディアと呼ばれる４媒体（新聞、雑誌、ラジオ、テレビ）である。新聞および雑誌においては、その発行部数に応じて広告料金が定められており、発行部数の多さや、保存性などから広告効果が高いとされてきた。
【０００３】
しかしながら印刷物では読者が広告を見たかどうかを正確に把握する手段は乏しい。また、ラジオおよびテレビにおいては、視聴率という形で視聴者が広告を見たかどうかを判断する基準を用いることが出来たため、新聞および雑誌の欠点を補うことが出来た。
【０００４】
しかしながらその後に普及した録画機等の記録装置では、ＣＭ（ｃｏｍｍｅｒｃｉａｌ  ｍｅｓｓａｇｅ）が容易にスキップできるため、ラジオおよびテレビにおいても正確に視聴者が広告を見たかどうかを識別することは困難になってきていた。
【０００５】
さらに、２０００年以降では上記４媒体以外にインターネットを介して行う広告（総称としてこれを広義のインターネット広告と呼ぶ）が広がってきた。現在におけるインターネット広告の代表がウェブページでのバナー広告である。バナーとは、ウェブページ上で他のウェブページを紹介する役割を持つ画像などのことである。
【０００６】
バナー広告は「表示報酬型」、「クリック報酬型」、および「成果報酬型」の大きく３つに分けられる。「表示報酬型」とは、ウェブページが開かれた回数（すなわちウェブページの読者がバナー広告を見たと判断された回数）だけ広告掲載料を支払う方式である。
【０００７】
このため「表示報酬型」のバナー広告は、図５に示すようにウェブページの中でも最も読者が目の付きやすいような位置に配置される必要がある。
【０００８】
「クリック報酬型」とは、バナー広告がクリックされた回数（すなわちウェブページの読者が広告主のウェブページへと誘導された回数）だけ広告掲載料を支払う方式である。
【０００９】
例えば、特許文献１には、ユーザ端末において、ウェブページ上に配置された、広告の表示を制御するための領域がポインタに指し示されることによって広告情報を表示し、その表示の履歴を記録する手法が開示されている。
【００１０】
「成果報酬型」とは、バナー広告を経由してウェブページ読者が商品やサービスの購入を行った回数や売り上げに応じて広告掲載料を支払う方式である。
【００１１】
上記４媒体に対してバナー広告が大きく違う点は、掲載広告を容易に変更できることにある。例えば新聞などでは、印刷時に決められた広告しか掲載できず、一度印刷された新聞では広告の変更は不可能である。これに対してバナー広告では、日時毎に掲載広告を変更できることは当然のことながら、ウェブページの読者がどこのリンク先から当該ウェブページへアクセスしたか、などの履歴に応じて掲載広告を変更することも可能である。
【００１２】
また読者のプロファイル（個人の嗜好等）を、ウェブページを送信するサーバ等に予め登録しておくことで、当該読者の嗜好に応じた広告を表示することが可能である。
【００１３】
このようなバナー広告を広めたのがポータルサイトと呼ばれるウェブページである。ポータルサイトとは、インターネット上の様々なコンテンツにアクセスするための入り口的な役割をしたウェブページのことであり、検索エンジン、ウェブディレクトリ、ニュースその他のサービスを提供し利用者の便宜を図ることで集客を図っている。
【００１４】
このようにインターネットという新たな媒体の出現により広告掲載方法に変化が現れてきた中で、上記４媒体をデジタル化することでインターネットを介して配信しようとする動きが昨今活発になってきている。
【００１５】
例えばテレビのインターネット配信に関して言えば、番組の合間に広告（ＣＭ）を視聴させることでコンテンツを無償提供するサービスも存在する。これは、一見、普通のテレビと同じような見せ方のように思えるが、容易に広告をスキップできない機能を有しているほか、「行動ターゲティング」と呼ばれる手法を用い、視聴者の興味関心を推測し、ターゲットを絞って広告配信を行うような取り組みが行われている。
【００１６】
一方で新聞および雑誌のインターネット配信においては、これまでウェブページ上で閲覧できる形のデータ形式にてコンテンツを掲載し、パソコンから有償で購読できるようなサービスを行ってきた動きも見受けられるが、大きな成功には繋がっていなかった。
【００１７】
ところが昨今の携帯電話の高機能化や、スマートフォンと呼ばれるモバイル端末の普及などにより、新たな取り組みが行われようとしている。
【００１８】
特に電子ペーパー等の技術進歩および普及により、省電力かつ大型のモバイル端末の製造が可能になったことなどから、北米を中心に電子書籍などの専用端末における新聞および雑誌のサービスが普及しつつある。
【００１９】
ここで電子ペーパーの特徴を簡単に述べる。電子ペーパーとは、広義には紙のような感覚で利用できる、柔らかい素材の極薄の表示装置のことである。しかし、ここで述べる電子ペーパーとは、蛍光灯や太陽光などの光を反射させて画面を表示する反射型表示装置のことである。このような電子ペーパーは、画面内容を変化させる時にだけ電力を消費するため消費電力も小さく、電源を切っても表示を維持でき、軽いなどの特長をもつ。
【００２０】
このように電子ペーパーは紙と同様の特質を持ち、何よりも画面に情報を保持したままの状態が長時間持続できることからも、動画よりは静止画コンテンツの表示に向いている。
【先行技術文献】
【特許文献】
【００２１】
【特許文献１】特開２００４−０３０１４６号公報
【発明の概要】
【発明が解決しようとする課題】
【００２２】
しかしながら新聞および雑誌は、テレビなどとは異なり、基本的にコンテンツ作成時に印刷媒体（つまり印刷紙面）の大きさや形を意識して作成される。このため印刷イメージのままモバイル端末等に配信した場合、端末の表示画面の大きさに応じて、拡大や縮小、もしくは縦または横の画面スクロールといった画面表示制御を用いてコンテンツを閲覧させる方法を取らせているのが現状である。
【００２３】
つまり、ユーザは、必要に応じてモバイル端末を操作して表示内容をスクロールさせるなどすることで、端末装置が受信したコンテンツの全体を閲覧することができる。
【００２４】
更に、新聞および雑誌の広告は、例えば図６で示すように紙面の記事の隙間あるいは紙面の下段に挿入される形で表示されているため、明らかに紙面イメージよりも小さい、モバイル端末の表示領域で広告情報を確実に読者に閲覧させることは難しい。
【００２５】
また、新聞および雑誌をインターネット配信するシステムは、バナー広告のようにバナーをクリックすることで、広告主のウェブページへと移動させるような仕組みも有していない。さらに、前述したテレビのインターネット配信のように、コンテンツとは独立した形で視聴前もしくは視聴の途中に広告を閲覧させるような仕組みにするためには、印刷イメージのまま配信する方法を改め、独自の形式のコンテンツを作成しなければならないという課題を有している。
【００２６】
本発明は、上記従来の課題を考慮し、コンテンツの表示上の大きさに関わらず、ユーザに対する広告効果を精度よく測定することが可能なコンテンツ表示装置およびコンテンツ表示システムを提供することを目的とする。
【課題を解決するための手段】
【００２７】
上記目的を達成するために、本発明の一態様に係るコンテンツ表示装置は、ネットワークを介して配信されたコンテンツを受信し、受信したコンテンツを表示するコンテンツ表示装置であって、コンテンツおよび前記コンテンツとともに表示すべき広告情報を受信する受信部と、前記受信部により受信されたコンテンツとともに、前記受信部により受信された広告情報を表示可能な表示領域を有する表示部と、前記表示領域内に前記広告情報が表示されたことを検出し、前記表示領域内に前記広告情報が表示されたことを示す視聴情報を生成する検出部と、前記検出部により生成された視聴情報を前記ネットワークに送信する送信部とを備える。
【００２８】
この構成によれば、コンテンツの表示上の大きさに関わらず、広告情報が表示部の表示領域に実際に表示されたことが検出される。その結果、広告情報がユーザに視聴されたか否かを高精度で判断でき、生成される視聴情報を、ネットワークに接続されたサーバ等に送信することで、ユーザ毎の広告効果を精度よく測定することが可能となる。
【００２９】
また、本発明の一態様に係るコンテンツ表示装置において、前記コンテンツの表示上の大きさは、前記表示領域よりも大きく、前記広告情報は、前記コンテンツ内に表示される情報であり、前記検出部は、前記表示領域内に前記広告情報が表示されていない状態から、前記表示領域内に前記広告情報が表示されている状態に変化することを検出することで、前記表示領域内に前記広告情報が表示されたことを検出するとしてもよい。
【００３０】
この構成によれば、コンテンツを表示部に表示させた初期状態では、広告情報が表示領域内に表示されていない場合であっても、その後に広告情報が表示されれば、そのことが検出され視聴情報が生成される。例えば、表示対象のコンテンツが、新聞の紙面をデジタル化することで得られたコンテンツである場合を想定する。この場合、当該紙面の下方に広告情報が配置されており、そのために初期状態では広告情報が表示領域に表示されていない場合であっても、その後に広告情報が表示されれば、そのことが確実に検出される。
【００３１】
また、本発明の一態様に係るコンテンツ表示装置は、さらに、ユーザからの指示を受け付ける受付部と、前記受付部により受け付けられた指示に応じて前記表示部を制御することで、前記表示領域内に前記広告情報が表示されていない状態から、前記表示領域内に前記広告情報が表示されている状態に変化させる画面制御部とを備えるとしてもよい。
【００３２】
この構成によれば、ユーザのスクロール等の操作により、広告情報が表示されたことが確実に検出される。
【００３３】
また、本発明の一態様に係るコンテンツ表示装置は、さらに、前記受信部により受信された複数の広告情報を記憶する記憶部と、前記記憶部に記憶されている複数の広告情報の中から１つの広告情報を選択する選択部と、前記受信部により受信されたコンテンツと、前記選択部により選択された広告情報とを合成することで表示画像を生成する表示画像生成部とを備え、前記表示部は、前記表示画像生成部により生成された表示画像を表示し、前記検出部は、前記表示画像生成部により前記コンテンツと前記広告情報とが合成された場合、前記視聴情報を生成するとしてもよい。
【００３４】
この構成によれば、ユーザがコンテンツを視聴しようとした際に、例えば、ユーザの嗜好や日時等の様々な条件に基づいて広告情報を選択してユーザに視聴させることが可能となる。その結果、高い広告効果が得られる。
【００３５】
また、本発明の一態様に係るコンテンツ表示装置は、さらに、ユーザからの指示を受け付ける受付部と、前記受付部により受け付けられた指示に応じて、前記表示領域に表示される情報を制御する画面制御部とを備え、前記表示画像生成部は、前記画面制御部の制御により、前記表示領域内に、前記コンテンツにおける広告情報の配置される領域である広告枠領域が表示されていなかった状態から、前記表示領域内に前記広告枠領域が表示されている状態に変化する際に、前記コンテンツと前記広告情報とを合成するとしてもよい。
【００３６】
この構成によれば、広告情報が実際に表示領域に表示される場合に、当該広告情報を含む表示画像が生成される。そのため、例えば、コンテンツおよび広告情報の表示に係る処理が効率化される。
【００３７】
また、本発明の一態様に係るコンテンツ表示装置において、前記受信部はさらに、前記コンテンツにおける前記広告枠領域の位置を特定する位置情報を受信し、前記表示画像生成部は、前記位置情報に示される位置に前記広告情報が配置されるように、前記コンテンツと前記広告情報とを合成するとしてもよい。
【００３８】
また、本発明の一態様に係るコンテンツ表示装置において、前記受信部はさらに、受信した前記コンテンツから、前記コンテンツにおける前記広告枠領域の位置を特定する位置情報を生成し、前記表示画像生成部は、前記位置情報に示される位置に前記広告情報が配置されるように、前記コンテンツと前記広告情報とを合成するとしてもよい。
【００３９】
このように、コンテンツ内の広告枠領域の位置を特定する情報を受信または生成することで、コンテンツと広告情報との合成を効率よく行うことができる。
【００４０】
また、本発明の一態様に係るコンテンツ表示装置において、前記記憶部はさらに、前記表示領域内に表示された広告情報の履歴を示す履歴情報を記憶し、前記選択部は、前記履歴情報を参照することで、前記複数の広告情報の中から前記表示領域内に表示されていない広告情報を選択するとしてもよい。
【００４１】
この構成によれば、ユーザが未視聴の広告情報を提示することができる。これにより、広告効果を向上させることができる。
【００４２】
また、本発明の一態様に係るコンテンツ表示装置は、さらに、前記選択部により選択された、前記表示領域内に表示されていない広告情報が、前記表示領域内に表示される場合、前記広告情報が前記表示領域内に表示されることを、光、音、振動または画像によりユーザに報知する報知部を備えるとしてもよい。
【００４３】
この構成によれば、ユーザに、その時点で表示されている、または、表示されようとしている広告情報が未視聴であることを知らせることができる。これにより、広告効果を向上させることができる。
【００４４】
また、本発明の一態様に係るコンテンツ表示装置において、前記記憶部はさらに、前記コンテンツと合成され前記表示領域に表示された広告情報と、前記コンテンツとを紐付ける情報である紐付け情報を記憶し、前記選択部は、前記コンテンツが前記表示部に表示された後に、前記コンテンツが、再度、前記表示部に表示される場合、前記複数の広告情報の中から、前記紐付け情報に示される広告情報を選択するとしてもよい。
【００４５】
このように、ユーザが一度視聴したコンテンツと広告情報とを一意に紐付けしておくことで、再度同じコンテンツを表示させた場合には、前回と同じ広告情報を表示させることができる。これにより、ユーザに当該広告情報についての効果的な記憶を促すことが可能となる。
【００４６】
また、本発明の一態様に係るコンテンツ表示装置において、前記コンテンツと合成され前記表示領域に表示された広告情報と、前記コンテンツとの紐付けの有効期間は予め定められており、前記選択部はさらに、前記有効期間が経過した後に、前記コンテンツが前記表示部に表示される場合、前記複数の広告情報の中から、前記紐付け情報に示される広告情報以外の広告情報を選択するとしてもよい。
【００４７】
この構成によれば、ユーザが一度見た広告を永続的に何度も見せるのではなく、ある期限（例えば商品の発売時期や、イベントの開催時期）に合わせて、コンテンツと広告情報との紐付けを解除することができる。そのため、再度同じコンテンツを表示させる場合に、新しい広告情報を挿入することができ、ユーザに常に新鮮な広告情報を提示することが可能となる。
【００４８】
また、本発明の一態様に係るコンテンツ表示装置は、さらに、前記選択部により選択された、前記紐付け情報に示される広告情報が前記表示領域内に表示される場合、前記広告情報が前記表示領域内に表示されることを、光、音、振動または画像によりユーザに報知する報知部を備えるとしてもよい。
【００４９】
この構成によれば、ユーザに、その時点で表示されている、または、表示されようとしている広告情報が既に視聴したものであることを知らせることができる。こうすることでも、広告効果を向上させることができる。
【００５０】
また、本発明の一態様に係るコンテンツ表示装置において、前記記憶部はさらに、前記コンテンツと、前記選択部により選択された広告情報とが合成されることで生成された表示画像を記憶し、前記表示部は、前記コンテンツを表示した後に、前記コンテンツを再度表示する場合、前記記憶部に記憶された表示画像を表示するとしてもよい。
【００５１】
この構成によれば、上記の紐付け情報を用いる構成と同じく、ユーザに当該広告情報についての効果的な記憶を促すことが可能となる。また、コンテンツおよび広告情報の表示に係る処理が効率化される。
【００５２】
また、本発明の一態様に係るコンテンツ表示装置において、前記コンテンツと、前記選択部により選択された広告情報とが合成されることで生成された表示画像の保持期間は予め定められており、前記記憶部は、前記表示画像についての保持期間が経過すると、前記コンテンツと前記広告情報とを分けて記憶するとしてもよい。
【００５３】
この構成によれば、上記の紐付け情報に有効期間を設ける場合と同じく、ユーザに常に新鮮な広告情報を提示することが可能となる。
【００５４】
また、本発明の一態様に係るコンテンツ表示装置において、前記検出部は、前記表示領域内に前記広告情報が表示されたことを示す前記視聴情報であって、前記広告情報が表示された日時または期間に関する情報を含む前記視聴情報を生成するとしてもよい。
【００５５】
これにより、コンテンツを送信する側の装置に、ユーザの広告情報に対する視聴行動についての詳細な情報を知らせることができる。
【００５６】
また、本発明のコンテンツ表示システムは、上記のいずれかの態様に係るコンテンツ表示装置と、コンテンツを配信するコンテンツ配信装置とを備え、前記コンテンツ配信装置は、前記コンテンツ表示装置に、コンテンツを送信するコンテンツ送信部と、前記コンテンツ表示装置から送信される視聴情報を蓄積する視聴情報記憶部とを有する。
【００５７】
この構成によれば、ユーザに対する広告効果を精度よく測定することのできるコンテンツ表示システムを提供することができる。
【００５８】
また、本発明は、本発明のコンテンツ表示装置が実行する特徴的な処理を含むコンテンツ表示方法として実現することもできる。また、当該コンテンツ表示方法が含む各処理をコンピュータに実行させるためのプログラムとして実現すること、および、そのプログラムが記録された記録媒体として実現することもできる。そして、そのプログラムをインターネット等の伝送媒体又はＤＶＤ等の記録媒体を介して配信することもできる。
【００５９】
また、本発明は、本発明のコンテンツ表示装置の特徴的な構成部を備える集積回路として実現することもできる。
【発明の効果】
【００６０】
本発明によれば、コンテンツの表示上の大きさに関わらず、広告情報がユーザに視聴されたか否かを高精度で判断できる。さらに、生成される視聴情報を、コンテンツ配信装置等の、ネットワークに接続された装置に送信することができる。従って、本発明は、コンテンツの表示上の大きさに関わらず、ユーザに対する広告効果を精度よく測定することが可能なコンテンツ表示装置およびコンテンツ表示システムを提供することができる。
【図面の簡単な説明】
【００６１】
【図１】本発明の実施の形態におけるコンテンツ表示システムの構成の一例を示す図である。
【図２】実施の形態における表示画像生成部により生成された表示画像と表示部の表示領域との関係の一例を示す図である。
【図３】実施の形態の変形例におけるコンテンツ表示システムの構成の一例を示す図である。
【図４】実施の形態の変形例における表示画像生成部により生成された表示画像と表示部の表示領域との関係の一例を示す図である。
【図５】ウェブページにおけるバナー広告の一例を示す図である。
【図６】代表的な印刷物（新聞紙面）における広告の一例を示す図である。
【発明を実施するための形態】
【００６２】
以下、本発明を実施するための形態およびその変形例について、図面を参照しながら説明する。
【００６３】
図１は、本発明の実施の形態におけるコンテンツ表示システムの構成の一例を示す図である。
【００６４】
実施の形態におけるコンテンツ表示システム１は、ネットワークを介して互いに通信可能なコンテンツ表示装置１００およびコンテンツ配信装置５００を備える。
【００６５】
実施の形態におけるコンテンツ表示装置１００の構成を同じく図１を用いて説明する。
【００６６】
コンテンツ表示装置１００は、液晶ディスプレイ（ＬＥＤ）、有機ＥＬディスプレイ（ＯＬＥＤ）または電子ペーパー（ＥＰＤ）等の表示デバイスを有する表示部１０と、装置外部と通信を行うためのＥｔｈｅｒｎｅｔ（登録商標）アダプタまたはワイヤレスアダプタなどであるネットワークインタフェース１３と、ユーザからの入力手段となるユーザインタフェース１１と、コンテンツおよび広告情報などを蓄積できるＨＤＤまたはＮＡＮＤ型ＦＬＡＳＨメモリなどである主記憶部１６を有する。
【００６７】
コンテンツ表示装置１００はさらに、ネットワークインタフェース１３を介してネットワークと通信するための送受信制御部１２と、表示部１０が有する表示領域に表示される画像（表示対象のコンテンツおよび広告情報などを表示する画像）である表示画像を表示部１０に表示させるための表示制御部１４と、表示画像を生成するための表示画像生成部１５と、表示制御部１４が表示部１０に表示させている表示画像を監視するための表示画像監視部１７と、表示画像監視部１７を用いて広告情報などの特定情報が表示されているか否かを検出するための視聴情報検出部１８を有している。
【００６８】
なお、送受信制御部１２により、本発明のコンテンツ表示装置が備える受信部および送信部による情報の送受信機能が実現される。
【００６９】
なお、「視聴」とは、人間が、広告情報等の情報を視覚または聴覚の少なくとも一方で検知することを意味する。
【００７０】
表示制御部１４、表示画像生成部１５、表示画像監視部１７、視聴情報検出部１８および送受信制御部１２は、例えば一般的な演算装置（ＣＰＵ）および一次記憶メモリなどにより動作するソフトウェアプログラムで実現されるものであるが、別途専用のハードウェアで実現されてもよい。
【００７１】
また、ユーザインタフェース１１は、本発明のコンテンツ表示装置における受付部の一例であり、十字キーまたはタッチパネル等の入力装置により実現される。例えば、表示部１０としてタッチパネルを採用した場合、表示部１０は、情報を表示する機能と、ユーザインタフェース１１としての機能とを兼ねることができる。
【００７２】
続いて、コンテンツ表示装置１００がネットワークを通じて通信を行う、本実施の形態におけるコンテンツ配信装置５００の構成を説明する。
【００７３】
コンテンツ配信装置５００は、装置外部との通信を行うためのＥｔｈｅｒｎｅｔ（登録商標）アダプタまたはワイヤレスアダプタなどであるネットワークインタフェース５０と、コンテンツ、および広告情報を蓄積できる第一主記憶部５４と、コンテンツ表示装置１００におけるユーザの視聴情報などを蓄積できる第二主記憶部５５とを有する。第一主記憶部５４および第二主記憶部５５のそれぞれは、ＨＤＤまたはＮＡＮＤ型ＦＬＡＳＨメモリなどにより実現される。
【００７４】
また、第二主記憶部５５は、本発明のコンテンツ配信システムにおける、視聴情報記憶部の一例である。
【００７５】
コンテンツ配信装置５００はさらに、ネットワークインタフェース５０を介して通信リクエストの認証を行うための認証部５１と、認証部５１により認証された通信リクエストへの応答として第一主記憶部５４からコンテンツを読み出して配信するための配信制御部５２と、同じくネットワークインタフェース５０を介し認証部５１が認証した、コンテンツ表示装置１００から送られてきたユーザの視聴情報を受信するための情報受信部５３とを有する。
【００７６】
なお、配信制御部５２は、本発明のコンテンツ配信システムにおける、コンテンツ送信部の一例である。
【００７７】
また、認証部５１、配信制御部５２および情報受信部５３は、例えば一般的な演算装置（ＣＰＵ）および一次記憶メモリなどにより動作するソフトウェアプログラムで実現されるものであるが、別途専用のハードウェアで実現されてもよい。
【００７８】
なお、第一主記憶部５４に対してコンテンツを蓄積しておくための手段や、第二主記憶部５５に蓄積された視聴情報を出力して別用途で利用する手段等については、本発明で言及するものではないため構成上の表現から割愛する。
【００７９】
以下、コンテンツ表示装置１００およびコンテンツ配信装置５００を備えるコンテンツ表示システム１の動作について説明する。
【００８０】
まず、コンテンツ表示装置１００が、コンテンツ配信装置５００から送信されるコンテンツおよび広告情報を表示する際の動作の概要を説明する。
【００８１】
コンテンツ表示装置１００において、ユーザインタフェース１１を介して行ったユーザの指示、または自発的に動作するプログラムのイベントにより動作する送受信制御部１２が、ネットワークインタフェース１３を介してコンテンツ（本実施の形態では広告情報を内包する）を受信する。受信したコンテンツは主記憶部１６に格納される。
【００８２】
主記憶部１６に格納されたコンテンツは一次記憶メモリ（図示せず）上に読み出され、当該コンテンツを構成するフォーマットおよび言語（ここで言う言語とは、ＨＴＭＬやＸＭＬに代表される構造化言語のことである）に応じて、表示画像生成部１５が表示画像を生成する。
【００８３】
図２は、実施の形態における表示画像生成部１５により生成された表示画像と表示部１０の表示領域との関係の一例を示す図である。
【００８４】
表示制御部１４は、表示画像生成部１５が生成した表示画像を、表示部１０に表示させる。これにより、ユーザはコンテンツを視認することができる。
【００８５】
ここで、図２に示す例では、表示画像生成部１５により生成された表示画像（図２の左図）は、表示部１０における表示領域よりも大きい。つまり、当該コンテンツの表示上の大きさは、表示部１０の表示領域よりも大きい。
【００８６】
この場合、例えば、図２の中図で示すように、表示部１０では表示画像生成部１５が生成した表示画像の全体が表示しきれず、ユーザは、広告情報を視認することはできていない。
【００８７】
このためユーザは、例えばスクロールなどの指示を、ユーザインタフェース１１を介して行う。これにより、表示制御部１４は、表示画像生成部１５を制御することで表示画像を更新させ、更新後の表示画像を表示部１０に表示させる。
【００８８】
つまり、表示制御部１４は、ユーザの指示に応じて表示部２０を制御することで、表示領域内に広告情報が表示されていない状態から、表示されている状態に変化させる。
【００８９】
その結果、例えば図２の右図で示すように表示部１０の表示領域内に広告情報が表示される。このように、ユーザが広告情報を視認できる状態になった場合、表示画像監視部１７は広告情報をユーザが視認したと判定して視聴情報検出部１８に対してコンテンツ配信装置５００への通知を促す。
【００９０】
視聴情報検出部１８は、表示部１０の表示領域内に広告情報が表示されたことを示す所定の情報を含む、所定のデータ形式の視聴情報を生成する。
【００９１】
つまり、視聴情報検出部１８は、表示領域内に広告情報が表示されていない状態から、広告情報が表示されている状態に変化することを検出し、表示領域内に広告情報が表示されたことを示す視聴情報を生成する。視聴情報検出部１８はさらに、送受信制御部１２を用いて視聴情報を送信させる。これにより、視聴情報が、ネットワークインタフェース１３を介してコンテンツ配信装置５００に送信される。
【００９２】
次に、このような動作を行うコンテンツ表示装置１００に対してコンテンツを送信する際のコンテンツ配信装置５００の動作の概要を説明する。
【００９３】
コンテンツ配信装置５００において、ネットワークインタフェース５０を介してコンテンツ表示装置１００からのコンテンツ要求を受信した場合、認証部５１が、当該コンテンツ要求が正しいものか否かを判断する。当該コンテンツ要求が正しいものであれば、当該コンテンツ要求を認証する。
【００９４】
当該コンテンツ要求が認証された場合、配信制御部５２は、コンテンツが格納されている第一主記憶部５４からコンテンツを一旦一次記憶メモリ（図１に図示せず）に読み出し、ネットワークインタフェース５０を介してコンテンツ表示装置１００に当該コンテンツを配信する。
【００９５】
またネットワークインタフェース５０を介してコンテンツ表示装置１００から視聴情報を受信した場合には、同じく認証部５１がコンテンツ表示装置１００からの視聴情報が正しいものか否かを判断する。当該視聴情報が認証された場合、情報受信部５３が第二主記憶部５５に当該視聴情報を格納する。
【００９６】
このようにして、本実施の形態のコンテンツ表示システム１では、配信されたコンテンツに含まれる広告情報がユーザに視聴されたか否かを、当該広告情報が表示部１０の表示領域に表示されたか否かにより判定する。これにより、コンテンツ配信装置５００は、当該広告情報がユーザに視聴されたことを確実に把握することが可能であり、視聴情報を格納しているサーバ（本実施の形態では、コンテンツ配信装置５００）側では広告効果を精度よく測定することが可能となる。
【００９７】
（実施の形態の変形例）
次に、本発明の実施の形態の変形例を図３を用いて説明する。
【００９８】
図３は、実施の形態の変形例におけるコンテンツ表示システムの構成の一例を示す図である。
【００９９】
図３に示すコンテンツ表示システム２は、ネットワークを介して互いに通信可能なコンテンツ表示装置２００およびコンテンツ配信装置５００を備える。
【０１００】
コンテンツ表示装置２００では、コンテンツ表示装置１００とは異なり、コンテンツと広告情報が独立した形で主記憶部２６に格納されている。また、コンテンツ表示装置２００は、表示画像監視部２７と連動して動作する広告情報選択部２９と、広告情報選択部２９により選択された広告情報、および視聴時間等を含む視聴情報を検出する視聴情報検出部２８とを備えている。
【０１０１】
以下、コンテンツ表示装置２００およびコンテンツ配信装置５００を備えるコンテンツ表示システム２の動作について説明する。
【０１０２】
コンテンツ表示装置２００において、ユーザインタフェース２１を介して行ったユーザの指示、または自発的に動作するプログラムのイベントにより動作する送受信制御部２２が、ネットワークインタフェース２３を介してコンテンツと広告情報とを独立して受信する。受信したコンテンツおよび広告情報は主記憶部２６に格納される。
【０１０３】
表示画像生成部２５は広告情報を含まない形でコンテンツのみの表示画像（例えば、新聞のコンテンツであれば、広告以外の記事等のみの表示画像）を生成する。
【０１０４】
図４は、実施の形態の変形例における表示画像生成部２５により生成された表示画像と表示部２０の表示領域との関係の一例を示す図である。
【０１０５】
表示制御部２４は表示画像生成部２５が生成した表示画像を、表示部２０に表示させる。これにより、ユーザはコンテンツを視認することができる。
【０１０６】
ここで、図４に示す例では、表示画像生成部２５により生成された表示画像（図４の左図）には、広告情報が配置される領域である広告枠領域に入るべき広告情報は入っていない。また、当該コンテンツの表示上の大きさは、表示部１０の表示領域よりも大きい。
【０１０７】
この場合、例えば、図４の中図に示すようにユーザはスクロールなどの指示を、ユーザインタフェース２１を介して行う。これにより、表示制御部２４は表示画像生成部２５を制御することで表示画像を更新させ、更新後の表示画像を、表示部２０に表示させる。
【０１０８】
その結果、図４の中図では広告情報は表示されていないが、ユーザの指示により画面をスクロールさせた際に、表示部２０で広告枠領域を表示させようとする瞬間を表示画像監視部２７は検知する。
【０１０９】
表示画像監視部２７は、例えば、広告枠領域の上端が表示部２０の表示領域内に移動したことを検知する。表示画像監視部２７はこの検知を契機とし、広告情報選択部２９に広告情報の選択を指示する。広告情報選択部２９は、この指示を受けると、主記憶部２６に格納されている１以上の広告情報から所定の広告情報を選択し読み出す。
【０１１０】
なお、広告情報選択部２９に対する広告情報の選択の指示のタイミングは、広告枠領域を表示させようとする瞬間でなくてもよい。例えば、図４の中図に示す状態において、ユーザによるスクロールの指示がなされたことを契機として、広告情報の選択の指示を行ってもよい。
【０１１１】
また、広告情報選択部２９は、例えば、複数の広告情報の中から、コンテンツ表示装置２００のユーザの嗜好に応じた広告情報を選択するなど、所定の基準を用いて広告情報の選択を行う。
【０１１２】
読み出された広告情報は、表示画像生成部２５に送り出され、表示画像生成部２５により表示対象のコンテンツと合成され、当該コンテンツと当該広告情報とを含む表示画像として出力される。
【０１１３】
つまり、表示画像生成部２５は、表示制御部２４の制御により、表示領域内に広告枠領域が表示されていなかった状態から、表示されている状態に変化する際に、当該コンテンツと当該広告情報とを合成する。
【０１１４】
表示制御部２４は表示画像生成部２５から出力された表示画像を表示部２０に表示させ、図４の右図のような状態となる。
【０１１５】
また、図４の右図に示すように、広告情報とコンテンツとが合成され、当該広告情報が表示部２０の表示領域内に表示されると、視聴情報検出部２８は、表示部２０の表示領域内に当該広告情報が表示されたことを示す所定の情報を含む、所定のデータ形式の視聴情報を生成する。
【０１１６】
視聴情報検出部２８はさらに、広告情報選択部２９が選択した広告情報を識別する情報、および視聴情報検出部２８が生成した視聴情報等の送信を送受信制御部２２に指示する。送受信制御部２２は、広告情報を識別する情報および視聴情報等を、ネットワークインタフェース２３を介してコンテンツ配信装置５００に送信する。
【０１１７】
また、本変形例におけるコンテンツ配信装置５００の構成および動作は、コンテンツと広告情報とを独立して管理していること以外は、実施の形態におけるコンテンツ配信装置５００（図１参照）の構成および動作と同じである。
【０１１８】
つまり、コンテンツ配信装置５００は、コンテンツ表示装置２００から送信される視聴情報を受信し蓄積することができる。
【０１１９】
以上、説明したように、実施の形態の変形例におけるコンテンツ表示システム２では、コンテンツと広告が独立して管理されている。そのため、コンテンツが視聴される際に最適の広告を挿入することが可能となり、高い広告効果が得られる。
【０１２０】
なお、コンテンツと広告が独立して管理されている特性上、図３に示すようにコンテンツ配信装置５００においてコンテンツ及び広告情報の双方を管理するのではなく、コンテンツと広告情報とを別の装置で管理してもよい。
【０１２１】
また、コンテンツ配信装置５００に備えられている配信制御部５２がコンテンツを配信する際に、当該コンテンツにおける広告枠領域の位置を特定する位置情報および広告の面積等を、当該コンテンツの付加情報もしくは別情報としてコンテンツ表示装置２００に通知してもよい。
【０１２２】
これにより、表示画像生成部２５は、当該位置情報に示される位置に前記広告情報が配置されるように、当該コンテンツと当該広告情報とを合成することで、表示画像を生成することができる。つまり、コンテンツ表示装置２００は、コンテンツと選択された広告情報とを容易に合成させることが可能となる。
【０１２３】
また、コンテンツ表示装置２００に備えられている送受信制御部２２がコンテンツを受信して主記憶部２６に格納する際に、当該コンテンツから、当該コンテンツに合成されるべき広告情報についての位置情報および面積等を当該コンテンツの付加情報もしくは別情報として予め生成しておいてもよい。こうすることでも、表示画像生成部２５は、当該位置情報に示される位置に広告情報が配置されるように、当該コンテンツと当該広告情報とを合成することで、表示画像を生成することができる。つまり、コンテンツ表示装置２００は、コンテンツと選択された広告情報とを容易に合成させることが可能となる。
【０１２４】
なお、上記の実施の形態およびその変形例で述べてきた視聴情報とは、単にユーザが広告を表示させたかどうかだけではなく、どのような広告を表示させたかを示す情報、および、広告を表示させたと思われる日時またはその表示期間など、広告情報が表示された日時または期間に関する情報が含まれていてもよい。
【０１２５】
さらにはコンテンツ表示装置１００（２００）からコンテンツ配信装置５００に対しての視聴情報の送信タイミングをイベントドリブンにしてもよいし、定期的な通知にしてもよい。
【０１２６】
また、視聴情報を格納する第二主記憶部５５はコンテンツ配信装置５００に包含されて構成されていてもよいし、独立した他のサーバで運営および管理されていてもよい。
【０１２７】
例えば、コンテンツの配信元のサーバが、視聴情報を蓄積する機能を有さない場合、コンテンツ表示装置１００（２００）は、視聴情報を蓄積する機能を有する他のサーバに、視聴情報を送信してもよい。この場合であっても、当該他のサーバに蓄積された視聴情報を解析することで、広告効果の精度のよい測定は可能である。
【０１２８】
また、上述のように、コンテンツ表示システム２では、コンテンツと広告情報とを独立して管理し、任意の広告情報をコンテンツと合成して表示することが可能である。そこで、このようなコンテンツ表示システム２において、ユーザが広告情報を視聴した履歴（つまり、表示された広告情報の履歴）を示す情報を、例えばコンテンツ表示装置２００の第一主記憶部５４に履歴情報として記憶しておく。さらに、広告情報選択部２９は、この履歴情報を参照することで、複数の広告情報の中から表示部２０の表示領域内に表示されていない広告情報を選択する。また、該当する広告情報が複数ある場合、表示対象のコンテンツの内容、およびユーザの嗜好、日時、地域、イベント情報などに基づいて、表示する広告情報を選択する。コンテンツ表示システム２は、このような仕組みを有することで、ユーザに対してさらに広告効果の高い広告表示が可能となる。
【０１２９】
また、表示画像生成部２５は、例えば、履歴情報を参照することで、一度コンテンツと合成して表示したと判断される広告情報を、再度当該コンテンツを表示する際に合成し、表示画面を生成してもよい。
【０１３０】
これにより、当該広告情報について、ユーザの記憶に深い印象を与えることが可能である。なお、この機能は、例えば、一度表示させた広告情報とコンテンツとを一意に紐付けさせるような紐付け情報を持たせることで実現される。つまり、あるコンテンツが表示部２０に表示された後に、再度、表示部２０に表示される場合、広告情報選択部２９は、例えば主記憶部２６に記憶されている紐付け情報を参照し、当該コンテンツと紐付けられた広告情報を選択する。
【０１３１】
また、一度コンテンツと広告情報とが合成された場合において、当該合成後の表示画像をそのまま保持および管理しておいてもよい。こうすることでも一度コンテンツと合成して表示した広告情報を、当該コンテンツと同時に視聴させることができる。
【０１３２】
さらに、コンテンツと広告情報との紐付けの有効期間、および、合成後の表示画像の保持期間を予め設けてもよい。これにより、広告情報の広告価値または表示期限などの条件に応じて、再度コンテンツと広告情報とを切り離すことが可能となる。
【０１３３】
また、コンテンツ表示装置２００は、コンテンツと広告情報との合成および表示の際に、ユーザに対して当該広告情報が新規なものであるか、既に過去に表示されたものであるかを能動的に伝える手段を備えてもよい。このような手段としては、例えば、光、音、振動および画像の少なくとも１つにより、広告情報の新旧をユーザに報知する報知部が挙げられる。
【０１３４】
コンテンツ表示装置２００がこのような報知装置を備えることで、表示部２０に表示される広告情報の印象をユーザに強く与えることができ、その結果、さらに効果的な広告効果が得られる。
【０１３５】
また、上記の実施の形態およびその変形例では、図２および図４に示すように、コンテンツの表示上の大きさは、表示部１０（２０）が有する表示領域よりも大きく、そのコンテンツ内に広告情報が表示される場合について説明した。
【０１３６】
つまり、広告情報を含む表示画像の全体の大きさが、表示部１０（２０）の表示領域よりも大きい場合について説明した。
【０１３７】
しかしながら、広告情報を含む表示画像の全体の大きさ表示部１０（２０）の表示領域と同じまたは小さくてもよい。
【０１３８】
例えば、コンテンツ表示装置１００において、広告情報を含むコンテンツを表示する表示画像の全体の大きさが、表示部１０の表示領域よりも小さい場合を想定する。この場合であっても、コンテンツ表示装置１００では、当該コンテンツが表示画像を表示部１０に表示されると、当該広告情報が表示されたことが視聴情報検出部１８によって検出される。
【０１３９】
また、当該広告情報が表示されたことを示す視聴情報をネットワークに送信することができる。
【０１４０】
つまり、コンテンツ配信装置５００は、コンテンツ表示装置１００によって、当該広告情報がコンテンツ表示装置１００に実際に表示されたことを把握することができる。
【０１４１】
また、コンテンツ表示装置１００およびコンテンツ表示装置２００が、広告情報が表示されたことを検出する手法は、特定の手法に限定されない。
【０１４２】
例えば、コンテンツ表示装置１００の視聴情報検出部１８は、表示対象のコンテンツにおける広告枠領域の一部または全部が、表示部１０の表示領域に含まれる位置まで、表示画像がスクロールされたことを確認することで、広告情報が表示されたことを検出してもよい。
【０１４３】
また、コンテンツ表示装置２００は、コンテンツと同時に広告情報を取得しなくてもよい。例えば、コンテンツ表示装置２００は、まず、ユーザの要求等に応じてコンテンツを取得する。その後、当該コンテンツの一部が表示部２０に表示され、スクロール等の操作により、当該コンテンツの広告枠領域が、表示部２０の表示領域内に含まれようとした場合に、当該広告枠領域に表示すべき広告情報の要求をコンテンツ配信装置５００に送信する。
【０１４４】
この場合、当該要求を視聴情報として扱うことができる。すなわち、当該要求は、表示部２０の表示領域内に広告枠領域が表示されることが確実な状態になった場合に送信される。そのため、当該要求は、表示部２０の表示領域に広告情報が表示されたことを示す視聴情報として扱うことができる。
【０１４５】
この場合、コンテンツ配信装置５００は、コンテンツ表示装置２００からの広告情報の要求を視聴情報として受信し蓄積する。こうすることでも、広告効果の精度のよい測定等が可能である。
【０１４６】
以上説明したように、本実施の形態およびその変形例におけるコンテンツ表示装置１００およびコンテンツ表示装置２００は、取得した広告情報が実際に表示されたことを検出することができ、かつ、その旨を示す視聴情報を出力することができる。
【０１４７】
ここで、従来のコンテンツ表示システムであれば、コンテンツの配信元のサーバは、クライアントである端末によって広告情報が取得されたこと、および、広告情報を表示するバナー等の画像またはテキストがクリックされたことは把握可能である。しかし、（ａ）端末によって取得された広告情報を表示する画像またはテキストがクリッカブルではない場合、および、（ｂ）広告情報を表示する画像またはテキストがクリッカブルであっても、ユーザにクリックされない場合、当該広告情報が当該端末で実際に表示されたか否かについて把握することはできない。
【０１４８】
しかしながら、上述のコンテンツ表示装置１００およびコンテンツ表示装置２００であれば、上記（ａ）および（ｂ）の場合であっても、広告情報が表示されたことを検出し、その旨を、コンテンツの配信元のサーバ（コンテンツ配信装置５００）等の、ネットワークに接続された装置に通知することができる。これにより、コンテンツおよび広告情報の配信側では、広告効果の測定がより精度よく、かつ、容易に実行できる。
【０１４９】
以上、本発明のコンテンツ表示装置およびコンテンツ表示システムについて、実施の形態およびその変形例に基づいて説明した。しかしながら、本発明は、上記実施の形態およびその変形例に限定されるものではない。本発明の趣旨を逸脱しない限り、当業者が思いつく各種変形を本実施の形態よびその変形例に施したもの、あるいは、上記説明された複数の構成要素を組み合わせて構築される形態も、本発明の範囲内に含まれる。
【０１５０】
例えば、実施の形態におけるコンテンツ表示装置１００の構成（図１参照）の一部もしくは全部、または、変形例におけるコンテンツ表示装置２００の構成（図３参照）の一部もしくは全部を、１つもしくは複数の集積回路で実現することもできる。
【０１５１】
また、集積回路化の手法はＬＳＩに限るものではなく、専用回路または汎用プロセッサで実現してもよい。ＬＳＩ製造後に、プログラムすることが可能なＦＰＧＡ（Ｆｉｅｌｄ
Ｐｒｏｇｒａｍｍａｂｌｅ  Ｇａｔｅ  Ａｒｒａｙ）または、ＬＳＩ内部の回路セルの接続や設定を再構成可能なリコンフィギュラブル・プロセッサを利用してもよい。
【産業上の利用可能性】
【０１５２】
本発明によれば、新聞および雑誌等の印刷物のデジタル配信において、印刷物と同等かそれ以上の広告効果を発揮することができる。つまり、印刷物のデジタル配信において広告効果を従来よりも精度よく測定することが可能である。そのため、本発明は、新聞および雑誌等の印刷物のデジタル配信および表示に用いられる端末装置およびデジタル配信システム等として有用である。
【符号の説明】
【０１５３】
１、２    コンテンツ表示システム
１０、２０    表示部
１１、２１    ユーザインタフェース
１２、２２    送受信制御部
１３、２３    ネットワークインタフェース
１４、２４    表示制御部
１５、２５    表示画像生成部
１６、２６    主記憶部
１７、２７    表示画像監視部
１８、２８    視聴情報検出部
２９    広告情報選択部
５０    ネットワークインタフェース
５１    認証部
５２    配信制御部
５３    情報受信部
５４    第一主記憶部
５５    第二主記憶部
１００、２００    コンテンツ表示装置
５００    コンテンツ配信装置
【図１】
2011209776.tif 000003
【図２】
2011209776.tif 000004
【図３】
2011209776.tif 000005
【図４】
2011209776.tif 000006
【図５】
2011209776.tif 000007
【図６】
2011209776.tif 000008